(57)【要約】【課題】回路基板とケーブルの固定力を向上させるとともに、高周波特性も向上させた回路基板内蔵コネクタを提供する。【解決手段】グラウンド部材４に平坦部１０ａ１、被覆部１０ａ２を有する固定部材１０ａと、平坦部１０ｂ１、被覆部１０ｂ２を有する固定部材１０ｂと、を備えて、平坦部１０ａ１、１０ｂ１で回路基板３を固定するとともに、被覆部１０ａ２、１０ｂ２でケーブル５を固定する。【選択図】図３
2011134539.tif 000002
【特許請求の範囲】
【請求項１】
回路基板がハウジング内に設けられ、芯線と外皮と前記芯線と前記外皮の間に設けられている中間部材とを有するケーブルの一端側の前記芯線が前記回路基板に電気的に接続される回路基板内蔵コネクタにおいて、
導電性の材料で形成され前記回路基板に近接するグラウンド部材を備え、
前記グラウンド部材には、前記回路基板に重ねられる平坦部と、前記ケーブルの前記中間部材を露出させた部分を覆う被覆部と、を有し、前記回路基板の表面側と裏面側から前記回路基板および前記ケーブルを同時に固定する一対の固定部が設けられていることを特徴とする回路基板内蔵コネクタ。
【請求項２】
前記グラウンド部材が、前記回路基板を少なくとも三以上の方向から覆うように形成されていることを特徴とする請求項１に記載の回路基板内蔵コネクタ。
【請求項３】
前記グラウンド部材に、前記ケーブルの前記被覆部よりも他端側を把持する把持部が設けられていることを特徴とする請求項１または２に記載の回路基板内蔵コネクタ。
【請求項４】
前記回路基板の前記ケーブルと接続する部分に切り欠きが設けられていることを特徴とする請求項１乃至３のうちいずれか一項に記載の回路基板内蔵コネクタ。
【発明の詳細な説明】
【技術分野】
【０００１】
本発明は、例えばアンテナ素子と同軸ケーブルとを接続するとともに回路基板が内蔵された回路基板内蔵コネクタに関する。
【背景技術】
【０００２】
自動車などの車両に取り付けられるフィルムアンテナなどのアンテナ素子と、同軸ケーブルなどのケーブルとを接続するために、内部にアンプ回路などの回路基板が設けられたコネクタは、従来から用いられている。
【０００３】
この種の回路基板内蔵コネクタと同軸ケーブルなどの接続には、従来は回路基板と露出させた同軸ケーブルの芯線とを半田付けを行って接続している。
【先行技術文献】
【特許文献】
【０００４】
【特許文献１】特開２００８−３５４７９号公報
【発明の概要】
【発明が解決しようとする課題】
【０００５】
しかしながら、回路基板にケーブルを半田付けのみで固定していると、特に自動車などの移動体に取り付けられた場合は、走行による振動で固定部分が断線してしまう可能性があった。
【０００６】
特許文献１に記載の回路基板内蔵コネクタではグラウンド部から延在するかしめ部を設け、かしめ部でケーブルをかしめることでケーブルを固定することで半田付け部分以外でも固定するようにしている。
【０００７】
また、同軸ケーブルでは、回路基板に接続する際は、外皮を剥き、露出したシールド部である編組を折り返して、さらに露出した誘電体の先端部を除去して芯線を露出させて、芯線を接続しているが、この露出した誘電体の部分は、そのままでは、特に高周波信号を伝送する場合、信号劣化に繋がってしまうという問題があった。特許文献１に記載の回路基板内蔵コネクタにおいても上述した露出した誘電体に関しては何ら言及されていない。
【０００８】
そこで、本発明は、回路基板とケーブルの固定力を向上させるとともに、高周波特性も向上させた回路基板内蔵コネクタを提供することを課題とする。
【課題を解決するための手段】
【０００９】
上記課題を解決するためになされた請求項１に記載の発明は、回路基板がハウジング内に設けられ、芯線と外皮と前記芯線と前記外皮の間に設けられている中間部材とを有するケーブルの一端側の前記芯線が前記回路基板に電気的に接続される回路基板内蔵コネクタにおいて、導電性の材料で形成され前記回路基板に近接するグラウンド部材を備え、前記グラウンド部材には、前記回路基板に重ねられる平坦部と、前記ケーブルの前記中間部材を露出させた部分を覆う被覆部と、を有し、前記回路基板の表面側と裏面側から前記回路基板および前記ケーブルを同時に固定する一対の固定部が設けられていることを特徴とする回路基板内蔵コネクタである。
【００１０】
請求項２に記載の発明は、請求項１に記載の発明において、前記グラウンド部材が、前記回路基板を少なくとも三以上の方向から覆うように形成されていることを特徴とするものである。
【００１１】
請求項３に記載の発明は、請求項１または２に記載の発明において、前記グラウンド部材に、前記ケーブルの前記被覆部よりも他端側を把持する把持部が設けられていることを特徴とするものである。
【００１２】
請求項４に記載の発明は、請求項１乃至３のうちいずれか一項に記載の発明において、前記基板の前記ケーブルと接続する部分に切り欠きが設けられていることを特徴とするものである。
【発明の効果】
【００１３】
以上説明したように請求項１に記載の発明によれば、グラウンド部材を備え、一対の固定部で、回路基板の表面と裏面から押さえて固定するとともに、ケーブルも覆うことで固定しているので、回路基板とケーブルを同時に固定でき、ケーブルの回路基板への固定力が向上するとともに、ケーブルの誘電体などの中間部材を被服部で覆うことで、露出した際に信号劣化を抑制することができる。
【００１４】
請求項２に記載の発明によれば、グラウンド部材が、回路基板を少なくとも三以上の方向から覆うように形成されているので、回路基板のグラウンド面積を大きくすることができることに加えて、シールド機能も持たせることができ外来ノイズの影響を軽減することができる。
【００１５】
請求項３に記載の発明によれば、グラウンド部材に、ケーブルの被覆部よりも他端側を把持する把持部が設けられているので、固定部に加えて把持部によってもケーブルを固定することができ、ケーブルの回路基板への固定力をさらに向上させることができる。
【００１６】
請求項４に記載の発明によれば、回路基板のケーブルと接続する部分に切り欠きが設けられているので、切り欠き部分に中間部材が入り込むことで、被覆部が中間部材を覆うことができる。
【図面の簡単な説明】
【００１７】
【図１】本発明の一実施形態にかかる回路基板内蔵コネクタの外観を示す斜視図である。
【図２】図１とは異なる方向から見た回路基板内蔵コネクタの斜視図であるである。
【図３】図１に示された回路基板内蔵コネクタの分解斜視図である。
【図４】図１に示されたグラウンド部材の斜視図である。
【図５】グラウンド部材に取り付けられた回路基板とケーブルの固定部分を示した説明図である。
【図６】グラウンド部材に取り付けられた回路基板とケーブルの固定部分を示した説明図である。
【図７】グラウンド部材に取り付けられた回路基板とケーブルの固定部分を示した断面である。
【図８】本発明の他の実施形態にかかる回路基板内蔵コネクタの要部斜視図である。
【発明を実施するための形態】
【００１８】
次に、本発明の一実施形態を図１ないし図７を参照して説明する。本発明の一実施形態にかかる回路基板内蔵コネクタ１は、ハウジング２と、回路基板３と、グラウンド部材４と、ケーブル５と、を備えている。
【００１９】
ハウジング２は、絶縁性の樹脂などで略箱型に形成され、長手方向の一端に開口が設けられるとともに、該開口と相対する面に後述する端子部６を通す長方形状のスリットが設けられている。
【００２０】
回路基板３は、電子回路配線とともに例えばＩＣなどの回路素子が実装されており、一端部のケーブル５の芯線５ａと接続する部分に切り欠き７が形成され、他端部に端子部６が延在している。端子部６は、相手側コネクタなどと接続する端子であり回路基板３から必要な配線が端子部６の端子に電気的に接続されている。
【００２１】
グラウンド部材４は、金属などの導電性の材料で形成され、図４に詳細を示すように、基板収容部８と、基板固定爪９と、固定部としての固定部材１０ａ、１０ｂと、かしめ部１１と、を備えている。
【００２２】
基板収容部８は、回路基板３の長手方向に対して三方向から回路基板３を覆うように、底面部８ａと底面部８ａの両端から立設した側面部８ｂ、８ｃとから構成された断面がコ字状となるように形成されている。また、基板収容部８の側面部８ｂ、８ｃには回路基板３をハウジング２の長手方向と略平行に固定するための基板固定爪９が複数形成されている。
【００２３】
固定部材１０ａは、側面部８ｂから側面部８ｃに向かって延在した平板状の平坦部１０ａ１と、平坦部１０ａ１から連なる半円状の被覆部１０ａ２と、から構成されている。固定部材１０ｂは、側面部８ｃから側面部８ｂに向かって延在した平板状の平坦部１０ｂ１と、平坦部１０ｂ１から連なる半円状の被覆部１０ｂ２と、から構成されている。即ち、固定部を一対有している。固定部材１０ａの被覆部１０ａ２と固定部材１０ｂの被覆部１０ｂ２は、双方を合わせると略円状になるような互いに向かい合う位置に形成されている。
【００２４】
また、固定部材１０ａの平坦部１０ａ１と固定部材１０ｂの平坦部１０ｂ１は、側面部８ｂ、８ｃから延在する位置（底面部８ａからの高さ）が異なっている。これは、後述するように回路基板３を表面と裏面から押さえるようにして固定するためである。つまり、側面部８ｂ、８ｃから延在する位置の差は回路基板３の厚みと略同じ程度となっている。また、固定部材１０ａと１０ｂは弾性を有し、互いに近づくように付勢されている。
【００２５】
把持部としてのかしめ部１１は、基板収容部８の長手方向の固定部材１０ａ、１０ｂが設けられている側から突出するように設けられ、ケーブル５をかしめる本体部１１ａと、底面部８ａの端部から突出するように延在し本体部１１ａを支持する支持部１１ｂと、から構成されている。
【００２６】
ケーブル５は、同軸ケーブルであり、内部導体である芯線５ａと、中間部材としての芯線５ａの周囲に設けられた誘電体５ｂと、同様に中間部材としての誘電体５ｂの周囲に設けられる図示しないシールド部である編組と、編組の周囲に設けられる絶縁性の材料から形成される外皮５ｃと、から構成されている。
【００２７】
次に、グラウンド部材４と回路基板３およびケーブル５との固定および回路基盤内蔵コネクタ１の組み立てについて図５ないし図７を参照して説明する。
【００２８】
まず、回路基板３が、グラウンド部材４の基板固定爪９で固定され、さらに、回路基板３の一端部の上からグラウンド部材４の平坦部１０ａ１が重ねられるとともに、平坦部１０ｂ１の上に回路基板３が重ねられるように配置されて、回路基板３の一端部の表面が固定部材１０ａから、裏面が固定部材１０ｂから、それぞれ押さえられるように固定される。なお、回路基板３がグラウンド部材４に固定された時点で回路基板３の図示しないグラウンド端子とグラウンド部材４が基板固定爪９を介して電気的に接続される。即ち、グラウンド部材４が回路基板３に近接している。
【００２９】
次に、一端側で芯線５ａおよび誘電体５ｂを露出させたケーブル５を被覆部１０ａ２と１０ｂ２の間を通すようにして挿入し、芯線５ａを回路基板３のケーブル接続用の端子に半田付けして固定する。この際、固定部材１０ａと１０ｂは互いに近づく方向に付勢されているので、その付勢力により露出した誘電体５ｂに密着して覆うことができる。つまり、ケーブル５が被覆部１０ａ２、１０ｂ２から挟まれるように固定される。ここで、ケーブル５の誘電体５ｂを露出させる長さは被覆部１０ａ２、１０ｂ２の幅（固定部材１０ａ、１０ｂの幅）と略同じ方が被覆部１０ａ２、１０ｂ２でシールドされる部分が多くなるので望ましい。
【００３０】
そして、かしめ部１１でケーブル５の誘電体５ｂを覆われている部分よりも他端側の外皮５ｃをかしめて固定する。即ち、ケーブル５の被覆部１０ａ２、１０ｂ２よりも他端側を把持している。
【００３１】
そして、上述したケーブル５が固定された回路基板３が設けられているグラウンド部材４がハウジング２内に収容されて図１や図２に示すような回路基板内蔵コネクタ１が組み立てられる。
【００３２】
本実施形態によれば、グラウンド部材４に平坦部１０ａ１、被覆部１０ａ２を有する固定部材１０ａと、平坦部１０ｂ１、被覆部１０ｂ２を有する固定部材１０ｂと、を備えているので、平坦部１０ａ１、１０ｂ１で回路基板３を固定するとともに、被覆部１０ａ２、１０ｂ２でケーブル５を固定することができるため、回路基板３とケーブル５を同時に固定して、ケーブル５の固定力を向上させることができる。
【００３３】
また、被覆部１０ａ２、１０ｂ２が露出した誘電体５ｂを覆うので、露出した誘電体５ｂ部分のシールドとして機能することができ、信号劣化を抑制することができる。
【００３４】
また、グラウンド部材４で回路基板３を三方向から覆っているので回路基板３のグラウンドの面積を大きくすることができ、さらに回路基板３に対するシールドとして機能させることもできるので外来ノイズの影響を軽減できる。
【００３５】
また、かしめ部１１を設けているので、固定部材１０ａ、１０ｂに加え、さらに固定力を向上させることができる。
【００３６】
また、回路基板３に切り欠き７が設けられているので、そこに誘電体５ｂが入り込むことができ、平坦部１０ａ１と被覆部１０ａ２（平坦部１０ｂ１と被覆部１０ｂ２）を連なるように形成した固定部材１０ａ（固定部材１０ｂ）で誘電体５ｂを覆うとともに、平坦部１０ａ１（平坦部１０ｂ１）で回路基板３を押さえることができる。
【００３７】
なお、上述した実施形態ではケーブル５は１本であったが、複数本であってもよい。図８にケーブル５が２本の場合の例を示す。２本の場合は図８のように被覆部が２箇所設けられる。さらには、被覆部の形状を変更することによってツイストペアケーブルなど同軸ケーブル以外のケーブルにも対応させることができる。
【００３８】
また、上述した実施形態ではグラウンド部材４が回路基板３の三方を覆うような形状であったが、四方を覆うような形状としても良い。
【００３９】
なお、上述した実施形態は本発明の代表的な形態を示したに過ぎず、本発明は、実施の形態に限定されるものではない。すなわち、本発明の骨子を逸脱しない範囲で種々変形して実施することができる。
【符号の説明】
【００４０】
１     回路基板内蔵コネクタ
２     ハウジング
３     回路基板
４     グラウンド部材
５     ケーブル
５ａ   芯線
５ｂ   誘電体（中間部材）
５ｃ   外皮
７     切り欠き
１０ａ、１０ｂ       固定部材（固定部）
１０ａ１、１０ｂ１   平坦部
１０ａ２、１０ｂ２   被覆部
１１   かしめ部（把持部）
【図１】
2011134539.tif 000003
【図２】
2011134539.tif 000004
【図３】
2011134539.tif 000005
【図４】
2011134539.tif 000006
【図５】
2011134539.tif 000007
【図６】
2011134539.tif 000008
【図７】
2011134539.tif 000009
【図８】
2011134539.tif 000010